(57)【要約】【課題】ユーザが興味のある広告情報を表示できる。【解決手段】実施形態の表示制御装置は、受信部と、表示部と、インターフェース部と、を備える。受信部は、放送信号を受信するテレビジョン受信装置から、当該放送信号に基づいた文書情報の保存場所を示すアドレス情報を受信し、受信したアドレス情報で示される保存場所から文書情報を受信する。表示部は、受信部が受信した文書情報に含まれている構造情報に基づいて表示される複数の表示領域のうち、いずれか一つ以上の表示領域に対して、放送信号で放送されている番組に連動するものとして予め定義されている複数の広告情報から、いずれか一つ以上の広告情報を表示する。インターフェース部は、表示部により広告情報が表示された表示領域に対して、複数の広告情報から、他の広告情報に表示を切り替える操作を受け付ける。【選択図】図５
2014236391.tif 000002
【特許請求の範囲】
【請求項１】
放送信号を受信するテレビジョン受信装置から、当該放送信号に基づいた文書情報の保存場所を示すアドレス情報を受信し、受信した前記アドレス情報で示される保存場所から文書情報を受信する受信部と、
前記受信部が受信した前記文書情報に含まれている構造情報に基づいて表示される複数の表示領域のうち、いずれか一つ以上の表示領域に対して、前記放送信号で放送されている番組に連動するものとして予め定義されている複数の広告情報から、いずれか一つ以上の広告情報を表示する表示部と、
前記表示部により前記広告情報が表示された表示領域に対して、前記複数の広告情報から、他の広告情報に表示を切り替える操作を受け付けるインターフェース部と、
を備える表示制御装置。
【請求項２】
前記表示部は、さらに、前記複数の表示領域のうち、前記インターフェース部が受け付けた操作に従って表示の切り替え可能な表示領域と異なる表示領域に対して、前記放送信号で放送されている番組に関連する広告情報を、時間の経過に基づいて切り替えて表示する、
請求項１に記載の表示制御装置。
【請求項３】
前記表示部は、前記インターフェース部が前記広告情報の選択の決定を受け付けた場合に、当該広告情報に関連する情報を、当該広告情報を表示している表示領域とは異なる表示領域に対して表示する、
請求項１又は２に記載の表示制御装置。
【請求項４】
放送信号を受信する受信装置から、当該放送信号に基づいた文書情報の保存先であるアドレス情報で示された自装置に対する、当該文書情報の取得要求を受信する、又は当該受信装置から当該放送信号に基づいた文書情報の保存場所であるアドレス情報を受信した表示制御装置から、当該アドレス情報で示された自装置に対する、文書情報の取得要求を受信する受信部と、
前記受信部が受信した前記取得要求に従って、前記受信装置、又は前記表示制御装置に対して、複数の表示領域が示されている構造情報を有する文書情報であって、前記複数の表示領域のうちいずれか一つ以上の表示領域に対して表示される複数の広告情報が定義され、当該表示領域に対して表示する広告情報の切り替え操作を受け付け可能な文書情報を送信する送信部と、
を備える文書管理サーバ。
【請求項５】
放送信号に対して、文書情報を取得するためのアドレス情報を埋め込む放送信号処理部と、
前記放送信号の番組と関連したコンテンツと、広告情報と、がそれぞれ異なる表示領域に表示されると共に、当該表示領域に対して行われた操作に応じて表示される広告情報を切り替え可能な文書情報を生成する文書情報生成部と、
前記文書情報生成部により生成された前記文書情報を、前記放送信号に埋め込まれた前記アドレス情報に基づいて取得可能な保存先に送信する送信部と、
を備える放送送出装置。
【発明の詳細な説明】
【技術分野】
【０００１】
本発明の実施形態は、表示制御装置、文書管理サーバ、及び放送送出装置に関する。
【背景技術】
【０００２】
従来から、放送と通信とを組み合わせることで、ユーザに対して様々なサービスを提供する技術が提案されている。例えば、放送で提供する番組の他に、当該番組に連動したコンテンツを、インターネット等のネットワークを経由して提供するサービスが提案されている。例えば、放送で提供される番組をテレビジョン受信機等に提供する一方で、関連するコンテンツを、タブレット端末やスマートフォン等の携帯情報端末で閲覧するためにネットワークを介して提供することが考えられる。
【０００３】
放送で提供される番組は、動画データのみに制限するものではなく、例えば動画データにＨＴＭＬ文書を重畳することが可能である。このＨＴＭＬ文書には、JavaScript(登録商標)等のスクリプト（プログラム）を含ませることが可能であり、アプリケーション文書情報と称することもできる。当該アプリケーション文書情報は、ネットワークに接続されている機器であれば表示可能であるため、テレビジョン受信機の他に、携帯情報端末でも表示できる。さらには、携帯情報端末とテレビジョン受信機との間でデータの送受信を行うことで、連携動作を実現できる。
【先行技術文献】
【特許文献】
【０００４】
【特許文献１】特開２０１０−９８７３０号公報
【発明の概要】
【発明が解決しようとする課題】
【０００５】
しかしながら、従来技術においては、アプリケーション文書情報を表示することで、放送で提供される番組と連携した広告情報の表示が実現可能であるが、当該番組のスポンサーの広告情報から、ユーザが自分の嗜好に合った広告情報が表示されるように切り替えるのは難しかった。
【０００６】
本発明は、上記に鑑みてなされたものであって、ユーザの操作に応じて広告情報の表示を切り替えることができる表示制御装置、文書管理サーバ、及び放送送出装置を提供する。
【課題を解決するための手段】
【０００７】
実施形態の表示制御装置は、受信部と、表示部と、インターフェース部と、を備える。受信部は、放送信号を受信するテレビジョン受信装置から、放送信号を受信するテレビジョン受信装置から、当該放送信号に基づいた文書情報の保存場所を示すアドレス情報を受信し、受信した前記アドレス情報で示される保存場所から文書情報を受信する。表示部は、受信部が受信した文書情報に含まれている構造情報に基づいて表示される複数の表示領域のうち、いずれか一つ以上の表示領域に対して、放送信号で放送されている番組に連動するものとして予め定義されている複数の広告情報から、いずれか一つ以上の広告情報を表示する。インターフェース部は、表示部により広告情報が表示された表示領域に対して、複数の広告情報から、他の広告情報に表示を切り替える操作を受け付ける。
【図面の簡単な説明】
【０００８】
【図１】図１は、実施形態にかかる放送連携システムの構成を示すブロック図である。
【図２】図２は、実施形態にかかる放送送出サーバのハードウェア構成を示した図である。
【図３】図３は、実施形態にかかる放送送出サーバのソフトウェア構成を示した図である。
【図４】図４は、実施形態にかかるテレビジョン受信機のハードウェア構成を示した図である。
【図５】図５は、実施形態にかかる携帯情報端末のハードウェア構成を示した図である。
【図６】図６は、実施形態にかかる携帯情報端末が、アプリケーション文書情報を表示した場合の画面例を示した図である。
【図７】図７は、実施形態にかかる第１の広告表示領域と、第２の広告表示領域と、に表示される広告情報の例を示した図である。
【図８】図８は、第２の広告表示領域に表示される広告情報を表した概念図である。
【図９】図９は、アプリケーション文書情報の一部の例を示した図である。
【図１０】図１０は、アプリケーション文書情報の一部の例を示した図である。
【図１１】図１１は、公衆ネットワークを介して広告情報を取得する場合における、アプリケーション文書情報の一部の例を示した図である。
【図１２】図１２は、実施形態にかかるテレビ番組連携情報表示システムにおける連携表示の処理の手順を示すフローチャートである。
【図１３】図１３は、実施形態にかかるテレビ番組連携情報表示システムにおける、第１の携帯情報端末でアプリケーション文書情報を表示するための処理の手順を示すフローチャートである。
【図１４】図１４は、第１の携帯通信端末における表示領域毎の表示制御の処理手順を示したフローチャートである。
【図１５】図１５は、放送連携システムにおける統計情報の送信の概念を示した図である。
【発明を実施するための形態】
【０００９】
図１は、実施形態にかかる放送連携システムの構成を示すブロック図である。図１に示される放送連携システムでは、電波塔１９０と、放送送出サーバ１５１と、文書管理サーバ１５２と、ＡＩＴ情報サーバ１５３と、を備えている。さらに、放送連携システムでは、文書管理サーバ１５２及びＡＩＴ情報サーバ１５３が接続されている公衆ネットワーク１８０の先に家庭のネットワークが存在する。
【００１０】
そして、家庭のネットワークは、ルータ１１１等に基づいたローカルエリアネットワークとして構築されている。このローカルエリアネットワークでは、ルータ１１１と、テレビジョン受信機１００と、第１の携帯情報端末１０１と、第２の携帯情報端末１０２と、を備えており、ルータ１１１を介して公衆ネットワーク１８０と接続されている。
【００１１】
携帯情報端末は、家庭内で０台以上の利用を実現する。テレビジョン受信機１００は、電波塔１９０から送出された放送信号を受信し、当該放送信号に含まれている映像を表示する機能を有する。さらには、公衆ネットワーク１８０を介して受信した情報を表示するためのブラウジングを備えている。本実施形態は、表示制御装置として、携帯情報端末を用いられた例について説明するが、他の装置であっても良い。
【００１２】
携帯情報端末１０１、１０２は、タッチパネル画面等で操作できる端末であり、テレビジョン受信機１００や、ルータ１１１を経由した公衆ネットワーク１８０との通信機能を有する。
【００１３】
放送送出サーバ１５１は、放送信号と、ネットワークを介して提供されるアプリケーション文書情報と、に関する処理を行う。具体的には、放送送出サーバ１５１は、テレビジョン受信機１００や携帯情報端末１０１、１０２で表示されるアプリケーション文書情報を生成すると共に、放送信号からアプリケーション文書にアクセス可能にするための処理を行う。
【００１４】
本実施形態にかかるアプリケーション文書情報は、一つ又は複数の表示領域を有し、表示領域毎に、様々なコンテンツを表示可能なデータとする。また、各表示領域に表示されるコンテンツとしては、テキスト、静止画、及び動画のうちいずれか一つ以上を含むものとする。アプリケーション文書情報は、例えば、ＪａｖａＳｃｒｉｐｔ（登録商標）等のスクリプト（プログラム）を含んだ、ＨＴＭＬやＸＭＬで記載された文書データとするが、ネットワークを介して取得可能であり、且つ携帯情報端末やテレビジョン受信機で表示可能なデータであれば良い。
【００１５】
家庭内に、テレビジョン受信機１００と、携帯情報端末１０１、１０２と、を備えることで、従来とはテレビの視聴スタイルが変化する傾向にある。例えば、テレビジョン受信機１００で表示されている番組を視聴しながら、携帯情報端末１０１、１０２を操作することが考えられる。
【００１６】
このため番組を提供している放送局も、第２の画面として、携帯情報端末に着目している。例えば、携帯情報端末を、番組の補完、番組の価値を増加させるためのデバイスとしての利用方法を検討している。さらには、携帯情報端末から、当該番組を提供しているスポンサーの広告情報を閲覧可能にする手法も検討されている。
【００１７】
テレビジョン受信機１００は、放送信号の受信、及び公衆ネットワーク１８０を介して情報を送受信する。一方、携帯情報端末は、公衆ネットワーク１８０を介して情報を送受信している。このように、携帯情報端末１０１、１０２と、テレビジョン受信機１００とは、情報の伝搬方法は異なる。そこで、携帯情報端末１０１、１０２は、通信の特徴を利用して、テレビジョン受信機１００で表示されている番組との連携を図るのが望ましい。その際に、携帯情報端末１０１、１０２と、テレビジョン受信機１００との間で、メッセージ通信することにより、連携した動作を行うことができる。
【００１８】
そして、テレビジョン受信機１００と携帯情報端末１０１、１０２とで構成されるシステムをテレビ番組連携情報表示システムとする。
【００１９】
テレビジョン受信機１００では、読み込んだアプリケーション文書情報の指示により、番組の映像と、アプリケーション文書情報による描画と、を同一画面上で表示できる。例えば、アプリケーション文書情報の記述によって、番組の映像１３１上に、アプリケーション文書情報に示されたコンテンツ１３２を重畳して表示してもよい。同様に、携帯情報端末１０１、１０２でも、アプリケーション文書情報に従って動作してもよい。
【００２０】
図２は、本実施形態にかかる放送送出サーバ１５１のハードウェア構成を示した図である。図２に示されるように放送送出サーバ１５１は、ＣＰＵ２０１と、ネットワーク通信部２０２と、放送信号送出部２０３と、記憶部２０４と、を備えている。放送送出サーバ１５１は、放送局(送出側)が放送を送出するために設置された装置とする。
【００２１】
ＣＰＵ２０１は、記憶部２０４に記憶されたプログラムを読み込んで、放送信号と、ネットワークを介して提供されるアプリケーション文書情報と、を連携させるための処理を行う。
【００２２】
ネットワーク通信部２０２は、ネットワークを介して接続されている文書管理サーバ１５２及びＡＩＴ情報サーバ１５３との間で情報の送受信を行う。
【００２３】
図３は、本実施形態にかかる放送送出サーバ１５１のソフトウェア構成を示した図である。図３に示されるように、放送送出サーバ１５１は、広告情報取得部３０１と、放送信号処理部３０２と、ＡＩＴ生成部３０３と、文書生成部３０４と、送信制御部３０５と、を備える。
【００２４】
広告情報取得部３０１は、送出する放送信号の番組を提供しているスポンサーの広告情報を取得する。
【００２５】
文書生成部３０４は、取得した広告情報と、当該番組に関連するコンテンツと、を含んだアプリケーション文書情報を生成する。なお、本実施形態は、アプリケーション文書情報に、広告情報が含まれているものに制限するものではなく、広告情報の取得先のＵＲＬ等が含まれても良い。
【００２６】
ＡＩＴ生成部３０３は、番組毎に、文書生成部３０４が生成したアプリケーション文書情報の保存先が示されたＡＩＴ（Application  Information  Table）ファイルを生成する。本実施形態にかかるアプリケーション文書情報の保存先は、例えば、文書管理サーバ１５２が考えられる。そこで、本実施形態にかかるＡＩＴ生成部３０３は、文書管理サーバ１５２のアプリケーション文書情報の保存先を示したＵＲＬを含んだＡＩＴ情報を生成する。
【００２７】
ＡＩＴファイルは、放送信号で提供されている番組に関連するアプリケーション文書情報を特定、及び制御するためのデータが含まれたファイルとする。本実施形態では、ＡＩＴファイルサーバ１５３から提供する例とするが、家庭内の通信端末（例えばテレビジョン受信機１００、携帯情報端末１０１、１０２）でＡＩＴファイルを取得できれば、どのような態様で提供しても良い。
【００２８】
放送信号処理部３０２は、番組の映像を符号化して放送信号を生成すると共に、番組毎に生成されたＡＩＴファイルの保存先が示されたアドレス情報を、符号化された当該番組の放送信号に埋め込んだ後、変調して電波塔１９０に出力する。本実施形態では、ＡＩＴファイルの保存先を、ＡＩＴファイルサーバ１５３とする。そこで、本実施形態にかかる放送信号処理部３０２は、放送信号に対して、ＡＩＴファイルサーバ１５３のＡＩＴファイルの保存先を示したＵＲＬを埋め込む。当該ＵＲＬが埋め込まれた放送信号は、放送信号送出部２０３から、電波塔１９０を介して放送される。なお、本実施形態では、放送信号にＡＩＴファイルの保存先が示されたアドレス情報を埋め込む例について説明するが、アドレス情報を埋め込むことに制限するものではなく、ＡＩＴ情報として放送信号に埋め込んでも良い。さらには、放送信号にアプリケーション文書情報の一部もしくは全部を埋め込んでも良い。
【００２９】
送信制御部３０５は、文書生成部３０４が生成したアプリケーション文書情報を、文書管理サーバ１５２に送信する。また、送信制御部３０５は、ＡＩＴ生成部３０３が生成したＡＩＴファイルを、ＡＩＴファイルサーバ１５３に送信する。
【００３０】
そして、放送送出サーバ１５１の放送信号送出部２０３は、ＡＩＴファイルの保存先を示すアドレス情報を埋め込んだ放送信号を、電波塔１９０を通じて放送する。
【００３１】
文書管理サーバ１５２と、ＡＩＴファイルサーバ１５３との構成は、図２に示したハードウェア構成から、放送信号送出部２０３を除いた構成、つまり、ＣＰＵ２０１と、ネットワーク通信部２０２と、記憶部２０４と、を備えた構成とする。
【００３２】
ＡＩＴファイルサーバ１５３は、他の通信装置に対してＡＩＴファイルを提供するサーバとする。
【００３３】
ＡＩＴファイルサーバ１５３の記憶部２０４は、ＡＩＴファイルを記憶する。そして、ＡＩＴファイルサーバ１５３のネットワーク通信部２０２が、他の通信装置からＡＩＴファイルの送信要求を受信した場合に、ＣＰＵ２０１が、記憶部２０４から、現在放送している番組に対応するＡＩＴファイルを読み出す。そして、ネットワーク通信部２０２が、読み出したＡＩＴファイルを、当該他の通信装置に送信する。
【００３４】
文書管理サーバ１５２は、他の通信装置に対してアプリケーション文書情報を提供するサーバとする。
【００３５】
文書管理サーバ１５２の記憶部２０４は、アプリケーション文書情報を記憶する。そして、文書管理サーバ１５２のネットワーク通信部２０２が、他の通信装置から当該アプリケーション文書情報の送信要求を受信した場合に、ＣＰＵ２０１が記憶部２０４から送信要求に対応するアプリケーション文書情報を読み出す。そして、ネットワーク通信部２０２が、読み出したアプリケーション文書情報を、当該他の通信装置に送信する。
【００３６】
本実施形態においては、放送送出サーバ１５１と、文書管理サーバ１５２と、ＡＩＴファイルサーバ１５３と、で構成されるシステムを、放送送出システムとする。なお、本実施形態では、放送送出サーバ１５１と、文書管理サーバ１５２と、ＡＩＴファイルサーバ１５３と、の３台で構成する例とするが、３台に制限するものではなく、上述した構成を備えていれば、２台以下、又は４台以上で構成されていても良い。
【００３７】
そして、テレビ番組連携情報表示システムと、放送送出システムと、で構成されるシステムを、放送連携システムとする。
【００３８】
次に家庭のネットワーク内に設けられたテレビ番組連携情報表示システムの構成について説明する。本実施形態では、テレビジョン受信機１００及び携帯情報端末１０１、１０２の間でデータの送受信を行うことで、表示される番組とアプリケーション文書情報との連携表示を実現する。
【００３９】
図４は、本実施形態にかかるテレビジョン受信機１００のハードウェア構成を示した図である。図４に示されるようにテレビジョン受信機１００は、ＣＰＵ４０１と、記憶部４０２と、リモコン受信部４０３と、チューナ部４０４と、デマルチプレクサ部４０５と、デコード部４０６と、ネットワーク通信部４０７と、アプリケーションエンジン部４０８と、表示部４０９と、を備える。
【００４０】
記憶部４０２は、プログラムを含め、様々なデータを記憶する。ＣＰＵ４０１は、様々な計算や処理を行うほか、記憶部４０２に記憶されているプログラムを実行する。
【００４１】
リモコン受信部４０３は、（図示しない）リモートコントローラから、（図示しない）赤外線受光部を介して、赤外線による操作情報を受信する。そして、ＣＰＵ４０１が、受信した操作情報に基づいて、テレビジョン受信機１００の各部の各々の制御を行う。
【００４２】
チューナ部４０４は、リモコン受信部４０３が受信した操作情報に基づいて、所望のチャネルの選局を受け付け、選局された放送信号を（図示しない）アンテナを介して受信する。そして、チューナ部４０４は、受信した放送信号をデマルチプレクサ部４０５に出力する。
【００４３】
デマルチプレクサ部４０５は、チューナ部４０４が受信した放送信号に対して、当該放送信号に関するコンテンツ情報と、暗号化された動画データと、に分離する。なお、分離されたコンテンツ情報には、上述したＡＩＴファイルの保存先を示したアドレス情報（例えば、ＡＩＴファイルサーバ１５３のＵＲＬ）が含まれている場合がある。
【００４４】
デコード部４０６は、暗号化された動画データをデコードする。分離されたコンテンツ情報と、デコードされた動画データは表示部４０９に出力される。
【００４５】
ネットワーク通信部４０７は、ルータ１１１を介して、文書管理サーバ１５２及びＡＩＴファイルサーバ１５３との間でデータを送受信する。さらには、ネットワーク通信部４０７は、無線又は有線による通信回線を介して、第１の携帯情報端末１０１、第２の携帯情報端末１０２との間でデータを送受信する。
【００４６】
例えば、デマルチプレクサ部４０５で分離されたコンテンツ情報に、ＡＩＴファイルの保存先を示したＡＩＴファイルサーバ１５３のＵＲＬが含まれていた場合に、ネットワーク通信部４０７が、当該ＵＲＬ（ＡＩＴファイルサーバ１５３のＵＲＬ）から、現在放送している番組に対応するＡＩＴファイルを受信する。さらに、ＣＰＵ４０１が、受信したＡＩＴファイルを読み込んだ後、ネットワーク通信部４０７は、当該ＡＩＴファイルに含まれている制御情報に従って、アプリケーション文書情報を受信する。なお、ＡＩＴファイルの受信開始のタイミングは、ＡＩＴ受信可能と判断された後に自動で行われる、もしくは当該判断の後にユーザの操作により開始される。
【００４７】
そして、アプリケーションエンジン部４０８は、連携用ＡＰＩ４１１を備え、受信したアプリケーション文書情報を読み込んで、アプリケーション文書情報に基づいた制御及び表示を行う。本実施形態にかかるアプリケーションエンジン部４０８は、ＨＴＭＬファイルやＸＭＬファイルを処理可能なブラウザ等が考えられる。
【００４８】
連携用ＡＰＩ４１１は、家庭内のネットワークを介して接続された携帯情報端末（例えば、第１の携帯情報端末１０１、第２の携帯情報端末１０２）と、アプリケーション文書情報を連携させるためのＡＰＩとする。本実施形態にかかる連携用ＡＰＩ４１１は、アプリケーションエンジン部４０８が読み込んだアプリケーション文書情報によって、携帯情報端末（例えば、第１の携帯情報端末１０１、第２の携帯情報端末１０２）が表示すべきＵＲＬを送信するために利用される。これにより、テレビジョン受信機１００と、携帯情報端末（例えば、第１の携帯情報端末１０１、第２の携帯情報端末１０２）との間で表示を連携できる。なお、ＵＲＬを受け渡すのではなく、ＵＲＬから取得したアプリケーション文書情報を直接携帯情報端末（例えば、第１の携帯情報端末１０１、第２の携帯情報端末１０２）に受け渡しても良い。
【００４９】
表示部４０９は、液晶表示パネル等で構成されており、デコード部４０６によりデコードされた動画データや、アプリケーションエンジン部４０８により処理されたアプリケーション文書情報を表示する。
【００５０】
図５は、本実施形態にかかる携帯情報端末１０１、１０２のハードウェア構成を示した図である。図５に示されるように携帯情報端末１０１、１０２は、ＣＰＵ５０１と、記憶部５０２と、ユーザインターフェース部５０３と、デマルチプレクサ部５０４と、デコード部５０５と、ネットワーク通信部５０６と、アプリケーションエンジン部５０７と、表示部５０８と、を備える構成とする。携帯情報端末１０１、１０２は、例えば、タブレット端末や、スマートフォン等とするが、表示部を備えた携帯可能な端末であれば、どのような装置でも良い。
【００５１】
記憶部５０２は、プログラムを含め、様々なデータを記憶する。ＣＰＵ５０１は、様々な計算や処理を行うほか、記憶部５０２に記憶されているプログラムを実行する。
【００５２】
デマルチプレクサ部５０４は、公衆ネットワーク１８０を介して受信した情報に対して、コンテンツ情報と、動画データと、に分離する。デコード部５０５は、動画データをデコードする。動画データが暗号化されていれば復号処理を行った後にデコードを実施する。分離されたコンテンツ情報と、デコードされた動画データは表示部５０８に出力される。
【００５３】
ネットワーク通信部５０６は、ルータ１１１を介して、文書管理サーバ１５２との間でデータを送受信する。さらには、ネットワーク通信部５０６は、無線又は有線による通信回線を介して、テレビジョン受信機１００との間でデータを送受信する。
【００５４】
アプリケーションエンジン部５０７は、アプリケーション文書情報を読み込んで、アプリケーション文書情報に基づいた制御及び表示を行う。本実施形態にかかるアプリケーションエンジン部５０７は、ネットワーク通信部５０６を介して、テレビジョン受信機１００の連携用ＡＰＩ４１１と連携し、連携用ＡＰＩ４１１から受け渡されたＵＲＬから、アプリケーション文書情報を取得し、取得したアプリケーション文書情報を表示する。本実施形態にかかるアプリケーションエンジン部５０７としては、例えばＨＴＭＬファイルやＸＭＬファイルを処理可能なブラウザ等が考えられる。
【００５５】
表示部５０８は、液晶表示パネル等で構成されており、デコード部４０６によりデコードされた動画データや、アプリケーションエンジン部４０８により処理されたアプリケーション文書情報を表示する。
【００５６】
ユーザインターフェース部５０３は、表示部５０８の表面に貼られたタッチセンサーフィルムにより構成され、表示部５０８に接触した位置座標をユーザの操作情報として取得する。さらに具体的には、タッチセンサーフィルムにはＸ軸方向、及びＹ軸方向にセンサーが並んでおり、利用者が手や指、又は携帯端末等で画面に接触した場合に、タッチセンサーフィルムがこれらの接触を検出して、接触した位置座標を含めた検出信号を、操作情報として、ＣＰＵ５０１に出力する。なお、実際に接触することに制限するものではなく、表示部５０８に物体がほぼ接触した状態を、接触とみなしてもよい。
【００５７】
次に、アプリケーションエンジン部５０７が、テレビジョン受信機１００の連携用ＡＰＩ４１１から受け取ったＵＲＬに基づいて取得したアプリケーション文書情報について説明する。図６は、本実施形態にかかる携帯情報端末１０１、１０２が、アプリケーション文書情報を表示した場合の画面例を示した図である。図６に示される例では、携帯情報端末１０１、１０２は、メイン表示領域６０１と、第１の広告表示領域６０３と、第２の広告表示領域６０４とを含む画面を表示する。図９に示す様に、本実施形態にかかる広告領域は、境界線６０２を間に挟み、第１の広告表示領域６０３と、第２の広告表示領域６０４とを有している。
【００５８】
本実施形態にかかるアプリケーション文書情報では、現在放送している番組に連携した広告を表示するために複数の表示領域を有している。そして、広告用の表示領域（以下、広告表示領域と称す）は、それぞれ異なる広告情報を表示可能とする。
【００５９】
図７は、本実施形態にかかる第１の広告表示領域６０３と、第２の広告表示領域６０４と、に表示される広告情報の例を示した図である。図７に示される第１の広告表示領域６０３には、アプリケーション文書情報内に記載されたスクリプトによる制御に従って、放送信号で放送されている番組のスポンサーが提供する広告情報が、時間の経過に応じて切り替わって表示される。つまり、番組の進行に連動した広告表示を実現できる。これにより、放送局は、番組の内容に連動した広告の表示を実現できる。図７に示す例では、各広告表示領域において、各スポンサー情報へ進むためのバナー７０１等が広告情報として表示される例とするが、バナー以外の情報が表示されても良い。
【００６０】
一方、第２の広告表示領域６０４は、当該番組のスポンサーが提供する複数の広告情報（例えばバナー７０２）のうち、ユーザから受け付けた操作に従って表示される広告情報が切り替わる。例えば、携帯情報端末１０１、１０２の第２の広告表示領域６０４に対して、フリック操作を行うことで、表示される広告情報を切り替えることができる。
【００６１】
図８は、第２の広告表示領域６０４に表示される広告情報を表した概念図である。図８に示されるように、現在放送されている番組のスポンサーによる複数の広告情報が、ユーザからの操作に従って、広告情報が環状に配列されているかのように表示が切り替わる。ユーザの操作としては、上方向又は下方向にスライドさせるフリック操作により、表示される広告情報が切り替わる。
【００６２】
例えば、ユーザが上方向にスライドさせるフリック操作を行った場合に、現在表示されている広告情報が上方向に移動し、第２の広告表示領域６０４の上辺より上方向に移動する場合に当該広告情報が非表示となり、第２の広告表示領域６０４の下辺から別の広告情報（例えば、広告情報８０３、８０４）が上方向に移動して表示される。一方、ユーザが下方向にスライドさせるフリック操作を行った場合に、第２の広告表示領域６０４の上辺から別の広告情報（例えば、広告情報８０２、８０１）が下方向に移動して表示される。
【００６３】
つまり、本実施形態にかかる第２の広告表示領域６０４では、番組のスポンサーが提供する複数の広告情報から、ユーザが興味のある広告情報を選択して表示できる。これにより、ユーザは、複数の広告情報のうち、自分が興味のある広告情報にアクセスすることができる。
【００６４】
また、携帯通信端末（第１の携帯情報端末１０１、第２の携帯情報端末１０２）のユーザインターフェース部５０３が、第１の広告表示領域６０３及び第２の広告表示領域６０４に表示された広告情報の選択を受け付けた場合に、ネットワーク通信部５０６が、当該広告情報に関連するアプリケーション文書情報を受信し、表示部５０８が、メイン表示領域６０１に当該アプリケーション文書情報を表示する。これにより、ユーザが興味を持った広告情報に関連した詳細な情報（スポンサーが提供している詳細な情報）を閲覧できる。
【００６５】
その際、本実施形態では、携帯通信端末（第１の携帯情報端末１０１、第２の携帯情報端末１０２）の記憶部５０２は、第１の広告表示領域６０３及び第２の広告表示領域６０４に対して行われた操作を履歴情報として記憶する。
【００６６】
なお、本実施形態は、広告表示領域を２箇所設けた例とするが、表示領域の態様を制限するものではなく、１箇所又は３箇所以上の広告表示領域を有してもよい。表示位置や形態は一例であり様々な態様が考えられる。また、本実施形態では、携帯情報端末１０１、１０２が、図６に示されるようなアプリケーション文書情報を表示する例について説明したが、テレビジョン受信機１００が、当該アプリケーション文書情報を表示しても良い。
【００６７】
次に、上述した表示を実現する、携帯情報端末１０１、１０２が表示するアプリケーション文書情報について説明する。図９、図１０はアプリケーション文書情報の例を示した図である。
【００６８】
図９、図１０に示される当該アプリケーション文書情報は、携帯情報端末連携用の文書情報として、放送送出サーバ１５１で生成された後、文書管理サーバ１５２が記憶している。そして、テレビジョン受信機１００が読み込んだアプリケーション文書情報に従って、文書管理サーバ１５２から携帯情報端末連携用のアプリケーション文書情報を取得した後、携帯情報端末１０１、１０２に受け渡される。なお、第２の表示領域と関係の無い部分のソースについては、説明を容易にするために省略する。
【００６９】
図９は、アプリケーション文書情報の一部を示した図である。図９に示されるアプリケーション文書情報のうち、範囲９０１に含まれる各行で、メイン表示領域６０１、第１の広告表示領域６０３、第２の広告表示領域６０４のサイズを定義している。なお、詳細な定義については省略する。定義の手法としては、ピクセル単位で縦及び横の幅を定義するなど、どのような手法を用いても良い。
【００７０】
そして、範囲９０２に含まれる各行で、第２の広告表示領域６０４に表示される広告情報が定義されている。なお、図９に示される例では、広告情報を３行のみ記載したが、当該番組のスポンサーが提供する広告情報であれば、２行、又は４行以上であっても良い。当該範囲９０２に示される広告情報では、第２の広告表示領域６０４に表示される画像情報の他に、当該広告情報の決定の選択を受け付けた場合に、（第２の広告表示領域６０４と異なる表示領域である）メイン表示領域６０１に表示するアプリケーション文書情報のＵＲＬが対応付けて記載されている。
【００７１】
また、範囲９０３には、第２の広告表示領域６０４に広告情報を初期表示するまでの処理を示したファンクションが定義されている。当該ファンクションを実行することで、第２の広告表示領域６０４に広告情報が表示される。
【００７２】
図１０は、アプリケーション文書情報の一部を示した図である。図１０に示されるアプリケーション文書情報のうち、範囲１００１に含まれる各行で、第２の広告表示領域６０４で操作が行われた場合の制御が定義されている。つまり、下方向にスライドさせるフリック操作、上方向にスライドさせるフリック操作、及びタップ（決定）操作が行われた場合の制御を想定している。本実施形態は、ユーザインターフェース部５０３が受け付けた操作情報が、キーボードにおける上下のカーソルキーや決定キー操作に置換される例について説明しているが、移動させて決定するという操作であれば、どのような操作でも良い。なお、各操作が行われた場合の制御は、既に説明しているため省略する。このように、アプリケーション文書情報には、第２の広告表示領域６０４に対して、複数の広告情報から、他の広告情報に表示を切り替える操作を受け付けるファンクションが定義されている。
【００７３】
範囲１００２に含まれる各行で、アプリケーション文書情報が読み込まれた際に呼びだされるファンクションが記載されている。具体的には、第２の広告表示領域６０４に広告情報を表示する際の初期表示するためのファンクションと、第２の広告表示領域６０４に操作に応じて広告表示を切り替えるためのファンクションとが呼び出される。
【００７４】
そして、範囲１００３に、ＢＯＤＹタグにアプリケーション文書読み込み時に、範囲１００２で示したファンクションを処理することが定義されている。さらには、範囲１００４に、アプリケーション文書情報が表示された場合の各表示領域が定義されている。
【００７５】
アプリケーション文書情報は上述した記述を有しているため、当該アプリケーション文書情報をアプリケーションエンジン部５０７が読み込むことで、第２の広告表示領域６０４に対する、ユーザの操作に従って、番組に関係する広告情報から表示を切り替えることができる。
【００７６】
なお、図９、図１０に示す例では、第２の広告表示領域６０４に表示する広告情報が予め記載されている例について説明した。しかしながら、予め記載されているものに制限せず、例えば公衆ネットワーク１８０を介して、広告情報を取得しても良い。
【００７７】
図１１は、公衆ネットワーク１８０を介して広告情報を取得する場合における、アプリケーション文書情報の一部を示した図である。図１１に示されるアプリケーション文書情報のうち、範囲１１０１に含まれるスクリプトで、広告情報として取得するための処理が定義されている。
【００７８】
なお、図９〜図１１で示したアプリケーション文書情報は、一例として示したものであり、他の態様であっても良い。上述したように本実施形態においては、第１の広告表示領域で広告情報が時間の遷移とともに切り替わるほか、第２の広告表示領域でユーザの操作に応じて切り替わる例とした。この広告情報の表示態様は、放送送出サーバ１５１がアプリケーション文書情報を生成する際に決定される、換言すれば放送局側が表示可能な広告情報を決定できる。
【００７９】
次に、本実施形態にかかるテレビ番組連携情報表示システムにおける、連携表示の処理について説明する。図１２は、本実施形態にかかるテレビ番組連携情報表示システムにおける上述した処理の手順を示すフローチャートである。図１２に示す例では、テレビジョン受信機１００と、第１の携帯情報端末１０１と、を連携する例とするが、テレビジョン受信機１００の連携先を、第１の携帯情報端末１０１に制限するものではなく、第２の携帯情報端末１０２の場合でも同様の連携制御が行われる。
【００８０】
まず、テレビジョン受信機１００のリモコン受信部４０３は、リモートコントローラから、データボタンの押下を受け付け、データ放送として受信した文書情報を表示させる（ステップＳ１２０１）。なお、本実施形態では、データ放送として受信した文書情報を表示するために（図示しない）データ放送ブラウザが起動しているものとする。
【００８１】
そして、リモコン受信部４０３が、ユーザからアプリケーション起動を促すバナーの選択を受け付けるなど、アプリケーション起動を指示するＡＰＩを呼ぶ操作を受け付けると、データ放送ブラウザが、当該ＡＰＩの引数に含まれるＡＩＴファイル保存先が示されたアドレス情報を取得する（ステップＳ１２０２）。
【００８２】
その後、ネットワーク通信部４０７が、取得したアドレス情報に従って、ＡＩＴファイルを取得する（ステップＳ１２０３）。そして、アプリケーションエンジン部４０８が、取得したＡＩＴファイルに記載されているアプリケーション文書情報の保存先を受け取りつつ、起動する（ステップＳ１２０４）。
【００８３】
アプリケーションエンジン部４０８が起動時に受け取ったアプリケーション文書情報の保存先で示されたアドレス情報から、ネットワーク通信部４０７が、アプリケーション文書情報を取得する（ステップＳ１２０５）。なお、本実施形態はデータボタン（データ放送の表示を要求するボタン）の押下により、データ放送ブラウザが起動され、アプリケーションエンジン部４０８を起動する例について説明するが、アプリケーションエンジン部４０８の起動手法をユーザの操作に制限するものではなく、放送信号内に含まれている起動指示に従ってもよい。またその場合、データ放送ブラウザを経由しないフローもありうる。
【００８４】
その後、アプリケーションエンジン部４０８が、取得したアプリケーション文書情報を読み込んで、表示部４０９にアプリケーション文書情報を表示制御する（ステップＳ１２０６）。
【００８５】
一方、第１の携帯情報端末１０１は、最初の段階で、ユーザからの操作に従って、テレビジョン受信機１００とネットワーク接続を行う（ステップＳ１２１１）。その後、ユーザからの操作に従って連携を行うために、第１の携帯情報端末１０１は、アプリケーションエンジン部５０７を起動する（ステップＳ１２１２）。これにより、第１の携帯情報端末１０１は、テレビジョン受信機１００と番組連携が可能な待機状態となる。
【００８６】
そして、テレビジョン受信機１００において、アプリケーションエンジン部４０８の連携用ＡＰＩ４１１が、アプリケーションエンジン部４０８が読み込んだアプリケーション文書に応じて、第１の携帯情報端末１０１用のアプリケーション文書情報の保存先を特定し、当該保存先を送信する（ステップＳ１２０７）。なおアプリケーション文書情報の保存先は、例えば文書管理サーバ１５２が管理する記憶領域を示すが、テレビジョン受信機１００がアプリケーション文書情報をダウンロードして記憶・再配信する機能を有しているのであれば、テレビジョン受信機１００の記憶領域を示すものでも良い。
【００８７】
そして、第１の携帯情報端末１０１のアプリケーションエンジン部５０７は、ネットワーク通信部５０６を介して、アプリケーション文書情報の保存先を受信する（ステップＳ１２１３）。そして、アプリケーションエンジン部５０７は、ネットワーク通信部５０６を介して、保存先からアプリケーション文書情報を受信する（ステップＳ１２１４）。これにより、テレビジョン受信機１００と、第１の携帯情報端末１０１と、の間でアプリケーション文書情報の連携を実現している。
【００８８】
次に、第１の携帯情報端末１０１でアプリケーション文書情報を表示するための処理が行われる。図１３は、本実施形態にかかるテレビ番組連携情報表示システムにおける上述した処理の手順を示すフローチャートである。
【００８９】
まず、第１の携帯情報端末１０１のネットワーク通信部５０６が、広告情報の送信要求を、テレビジョン受信機１００に対して送信する（ステップＳ１３１１）。なお、送信要求の対象となる広告情報は、第１の広告表示領域６０３及び第２の広告表示領域６０４に表示する広告情報のうち、ステップＳ１２１４で受信したアプリケーション文書情報に含まれていない広告情報とする。
【００９０】
そして、テレビジョン受信機１００のネットワーク通信部４０７が、広告情報の送信要求を受信する（ステップＳ１３０１）。
【００９１】
テレビジョン受信機１００のネットワーク通信部４０７は、アプリケーション文書情報に記載されている広告情報の保存先から、広告情報の一覧を取得する（ステップＳ１３０２）。
【００９２】
そして、テレビジョン受信機１００のネットワーク通信部４０７は、取得した広告情報の一覧を、第１の携帯情報端末１０１に送信する（ステップＳ１３０３）。
【００９３】
第１の携帯情報端末１０１のネットワーク通信部５０６は、テレビジョン受信機１００から、広告情報の一覧を受信する（ステップＳ１３１２）。
【００９４】
一方、テレビジョン受信機１００では、リモートコントローラから受け付けた操作や、放送信号に含まれている放送起点データによる指示に従って、放送信号による番組、アプリケーション文書情報の表示制御を行う（ステップＳ１３０４）。なお、放送起点データは、データ放送信号に含まれたデータであって、時間の経過と共に表示の対象（コンテンツやアプリケーション文書情報）を制御するデータとする。
【００９５】
それに対して、第１の携帯情報端末１０１のネットワーク通信部５０６は、受信した広告情報一覧と、取得したアプリケーション文書情報と、に基づいて、アプリケーション文書情報に含まれている表示領域毎に、表示制御を行う（ステップＳ１３１３）。
【００９６】
図１４は、第１の携帯通信端末における表示領域毎の表示制御の処理手順を示したフローチャートである。
【００９７】
まず、第１の携帯情報端末１０１のアプリケーションエンジン部５０７が、読み込んだアプリケーション文書情報に従ってメイン表示領域を表示した後、当該メイン表示領域に対して、受け付けた操作や、放送起点データによる指示に従って表示部４０９に表示制御を行う（ステップＳ１４０１）。
【００９８】
次に、アプリケーションエンジン部５０７が、読み込んだアプリケーション文書情報に従って第１の広告表示領域６０３に広告情報を初期表示した後、当該第１の広告表示領域６０３に対して、予め定められた指定時刻に対応する広告情報が表示制御されるように切り替え制御を行う（ステップＳ１４０２）。
【００９９】
そして、アプリケーションエンジン部５０７が、読み込んだアプリケーション文書情報に従って第２の広告表示領域６０４に広告情報を初期表示した後、当該第２の広告表示領域６０４に対して、現在放送されている番組の全ての広告情報のうち、いずれか一つ以上の広告情報を表示する（ステップＳ１４０３）。その後、再びステップＳ１４０１から処理を繰り返す。
【０１００】
図１３に戻り、ステップＳ１３１３の表示領域毎の表示制御を行った後、ユーザインターフェース部５０３が、第２の広告表示領域６０４に対する広告情報の切り替え操作を受け付けたか否かを判定する（ステップＳ１３１４）。切り替え操作を受け付けていない場合（ステップＳ１３１４：Ｎｏ）、ステップＳ１３１６に進む。
【０１０１】
一方、ユーザインターフェース部５０３が、第２の広告表示領域６０４に対する広告情報の切り替え操作を受け付けたと判定した場合（ステップＳ１３１４：Ｙｅｓ）、アプリケーションエンジン部５０７は、第２の広告表示領域６０４で、フォーカスされる（表示される）広告情報を切り替える（ステップＳ１３１５）。
【０１０２】
その後、ユーザインターフェース部５０３が、第２の広告表示領域６０４に対する広告情報の選択の決定操作を受け付けたか否かを判定する（ステップＳ１３１６）。選択の決定操作を受け付けていない場合（ステップＳ１３１６：Ｎｏ）、ステップＳ１３１４に戻る。
【０１０３】
一方、ユーザインターフェース部５０３が、広告情報の選択の決定操作を受け付けたと判定した場合（ステップＳ１３１６：Ｙｅｓ）、アプリケーションエンジン部５０７は、広告情報に対応するアプリケーション文書情報等を受信する（ステップＳ１３１７）。なお、アプリケーション文書情報の取得手法は、どのような手法を用いても良い。
【０１０４】
そして、アプリケーションエンジン部５０７は、広告情報に対応するアプリケーション文書情報等を表示部５０８に表示する（ステップＳ１３１８）。
【０１０５】
そして、アプリケーションエンジン部５０７が、ユーザが参照等を行った広告情報に関連する統計情報を、テレビジョン受信機１００に送信する（ステップＳ１３１９）。
【０１０６】
一方、テレビジョン受信機１００のネットワーク通信部４０７は、第１の携帯情報端末１０１から、統計情報を受信する（ステップＳ１３０５）。同様に、第２の携帯情報端末１０２からも統計情報を受信している。
【０１０７】
そして、テレビジョン受信機１００のネットワーク通信部４０７は、受信した第１の携帯情報端末１０１及び第２の携帯情報端末１０２の統計情報に対して、テレビジョン受信機１００の識別情報を付加して、統計情報を管理している文書管理サーバ１５２に送信する（ステップＳ１３０６）。なお、統計情報の送信先は、文書管理サーバ１５２に制限するものではなく、統計情報を管理しているサーバであればよい。
【０１０８】
図１５は、放送連携システムにおける統計情報の送信の概念を示した図である。図１５は、第１の携帯情報端末１０１のネットワーク通信部５０６が、統計情報として、ユーザが閲覧した広告情報、アプリケーション文書情報、及び（広告情報及びアプリケーション文書に対する）操作履歴（なお、操作履歴とは、操作情報と時刻情報とを対応付けたを情報とする）を、テレビジョン受信機１００に送信する（ステップＳ１５０１）。
【０１０９】
そして、テレビジョン受信機１００のネットワーク通信部４０７は、受信した第１の携帯情報端末１０１及び第２の携帯情報端末１０２の統計情報に対して、テレビジョン受信機１００の識別情報を付加して（換言すれば広告情報、アプリケーション文書情報、及び操作履歴に識別情報を付加して）、文書管理サーバ１５２に送信する（ステップＳ１５０２）。
【０１１０】
本実施形態においては、放送局側が番組に応じた複数の広告情報から、ユーザが興味を有した広告情報が表示されるように操作することができる。これにより、ユーザが広告情報から詳細な情報を参照する確率を向上させることができる。このように、現在の民間放送局(民放)のビジネスモデルに適用した広告モデルを実現できる。
【０１１１】
本実施形態においては、放送局が提供する広告情報から、フォーカス（表示）される広告情報をユーザが選択することを可能とした。これにより、不特定多数への時間軸に対して均一化された広告の提供態様に限らない広告の提供態様を可能とした。
【０１１２】
さらに、放送局が、興味があることを示した視聴者に関する統計情報を得ることができる。統計情報は、上述した統計情報を各テレビジョン受信機から受信することで、具体的なアクセス数や、番組中にユーザが行った操作を表したアクティビティ情報を抽出できる。放送局は、統計情報によるユーザの嗜好の他に、番組中に行われた操作によるアクティビティ情報により、番組が与えた広告情報への影響を調べることができる。これにより、広告に対して与えた付加価値を調査できる。
【０１１３】
本実施形態では、ユーザは、番組のスポンサーが提供している複数の広告情報から、興味のない広告情報を参照せず、興味のある広告情報を選択表示できる。これにより、時系列に従って広告情報が切り替わる場合と比べて、興味のある広告情報の見逃し等を抑止できる。さらに、番組放送中であれば、興味のある広告情報から詳細な情報への移動が容易のため、スポンサーの提供している情報への誘導が容易となる。
【０１１４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１１５】
１００…テレビジョン受信機、１０１，１０２…携帯情報端末、１１１…ルータ、１５１…放送送出サーバ、１５２…文書管理サーバ、１５３…ＡＩＴファイルサーバ、１８０…公衆ネットワーク、１９０…電波塔、２０２…ネットワーク通信部、２０３…放送信号送出部、２０４…記憶部、３０１…広告情報取得部、３０２…放送信号処理部、３０３…ＡＩＴテーブル生成部、３０４…文書生成部、３０５…送信制御部、４０１…ＣＰＵ、４０２…記憶部、４０３…リモコン受信部、４０４…チューナ部、４０５…デマルチプレクサ部、４０６…デコード部、４０７…ネットワーク通信部、４０８…アプリケーションエンジン部、４０９…表示部、４１１…連携用ＡＰＩ、５０１…ＣＰＵ、５０２…記憶部、５０３…ユーザインターフェース部、５０４…デマルチプレクサ部、５０５…デコード部、５０６…ネットワーク通信部、５０７…アプリケーションエンジン部、５０８…表示部。
【図１】
2014236391.tif 000003
【図２】
2014236391.tif 000004
【図３】
2014236391.tif 000005
【図４】
2014236391.tif 000006
【図５】
2014236391.tif 000007
【図６】
2014236391.tif 000008
【図７】
2014236391.tif 000009
【図８】
2014236391.tif 000010
【図９】
2014236391.tif 000011
【図１０】
2014236391.tif 000012
【図１１】
2014236391.tif 000013
【図１２】
2014236391.tif 000014
【図１３】
2014236391.tif 000015
【図１４】
2014236391.tif 000016
【図１５】
2014236391.tif 000017